(57)【特許請求の範囲】
【請求項１】
スライドリーフ（４）と、
前記スライドリーフ（４）の下部分に位置するガイド（６）と、
前記ガイド（６）の内側に位置して床に固定された固定ストップ（１６）と、を有するビルトイン型スライドドアの調整機構であって、
前記スライドリーフ（４）の端に固定されたカバー（１）と、
前記カバー（１）と前記固定ストップ（１６）の間に位置するガイド（６）の内側部分でスライド可能な可動ストップ（２）と、
前記カバー（１）と前記可動ストップ（２）の間の相対的位置が調整されるように前記カバー（１）から延びて前記可動ストップ（２）を貫通する調節ねじ（３）と、
を備えるビルトイン型スライドドアの調整機構。
【請求項２】
請求項１記載のビルトイン型スライドドアの調整機構であって、
前記調節ねじ（３）がブッシュ（１０）を貫通し、当該ブッシュ（１０）が、前記カバー（１）の内面と前記可動ストップ（２）の間において、固定手段（１１）によって前記調節ねじ（３）に固定される、ビルトイン型スライドドアの調整機構。
【請求項３】
請求項２記載のビルトイン型スライドドアの調整機構であって、
前記可動ストップ（２）は、
前記調節ねじ（３）を螺合可能な状態で収容するねじ付きオリフィス（１２）と、
前記カバー（１）から最も遠い側の側面にあるゴム片（１５）と、
前記カバー（１）に最も近い側の側面にある前記ブッシュ（１０）のためのハウジング（１４）と、を有するビルトイン型スライドドアの調整機構。
【請求項４】
請求項１記載のビルトイン型スライドドアの調整機構であって、
前記調節ねじ（３）は、その一端に頭部（７）を有し、かつ、その他端に突起（１３）を有する、ビルトイン型スライドドアの調整機構。
【請求項５】
請求項４記載のビルトイン型スライドドアの調整機構であって、
前記カバー（１）は、
前記調節ねじ（３）の頭部（７）を収容する空洞（８）と、オリフィス（９）と、前記スライドリーフ（４）と固定するための接続手段（５）と、を有するビルトイン型スライドドアの調整機構。
【発明の詳細な説明】
【技術分野】
【０００１】
本発明は、ビルトイン型スライドドアの最大開扉を調整することを可能にする機構に関する。
【背景技術】
【０００２】
ビルトイン型スライドドアは、ヒンジ型ドアよりも自由な空間が増えるので特別な関心を寄せられている。このことは、開いたスライドドアのリーフが、建築物を区分する建築構造の包囲部の間に全体的又は部分的に隠れていることが理由となっている。
【０００３】
一般に、スライドリーフの下部分には、床に固定された少なくとも一つのガイドが中をスライドするガイドを有する。これらのガイドの主な機能は、リーフの運動を常に同じ水平面上に維持しながらガイドすることであり、これにより、振り子運動によって発生しうる包囲部の内側表面とのぶつかりを防ぐ。
【０００４】
多くの場合、この種のガイドは、両側の包囲部の間へのリーフの進入を遅くする第２の機能を発揮する。このような場合、「ストップ」と呼ばれる前記機能を行うガイドが、両方の包囲部の間に完全にリーフが進入することを防ぐ。
【０００５】
上述したような床に直接固定されるストップの代わりに、リーフの上部分、一般に、その上部保縛レール上に固定されたストップが用いられる。
【０００６】
これら両方の場合において、前記ストップの位置は、スライドドアに関わる美的観点及び機能的観点に基づいて決められる。この美的観点は、主に組み立てられた全体のアセンブリの外観に由来し、これは、ドアが完全に開いたときに包囲部から突き出たスライドリーフの部分に由来する外観に主に依存している。機能的観点に関しては、一例として、ドアのリーフ上のハンドルの存在があり、これは、包囲部とぶつかるようにもでき、あるいは包囲部で隠すこともできる。二つ目の例としては、包囲部がリーフ全体を隠さないものがあり、そのリーフの進入においては、奥と衝突することを防ぐように遅くなるようにされる。
【発明の開示】
【発明が解決しようとする課題】
【０００７】
これら上述のシステム両方は、一旦固定が終了すると、リーフと包囲部との最大重複を調節できないという欠点がある。即ち、ドアの最大開扉を調節できない。このことは、組み立て上の誤りがあれば不正確な動作をもたらし、あるいはユーザにとって外観が満足するものがない場合には、ストップを分解して所望の位置に再び組み立てることを要し、このことには多くの欠点を伴う。
【０００８】
また、包囲部の間のリーフの所望の進入を達成するための適正なストップの位置を特定するのが常に明解であるとは限らない。この場合、多くの場合、そのようなアセンブリの誤りを発生させてしまう。
【０００９】
上述のシステムはいずれも、将来的な維持又は改装の仕事を容易にすることはしない。なぜなら、このような仕事をするためにはスライドするリーフとストップの両方を分解することが必要であるからである。
【００１０】
本発明の調整機構は、完全に満足するように上述の技術的問題を解決する。
【課題を解決するための手段】
【００１１】
この目的のため、具体的には、本調整機構は、４つの鍵となる要素、即ち、カバー、調節ねじ、可動ストップ、及び固定ストップを有する。
【００１２】
カバーは、スライドリーフと本発明の調整機構の間の接続要素である。このため、適切な接続手段、例えば、複数のオリフィス及びねじ、接着剤、又は他の接着要素、によってスライドリーフの端に固定される。また、カバーは、分解したりドアを取り外すことをせずに本調整機構を形成する要素にアクセスすることを可能にするアクセスポイントでもある。
【００１３】
また、カバーは、調節ねじの頭部を収容する空洞と、及び前記ねじの他方の端が進入するオリフィスを有する。その端は、スライドリーフの下部分に位置するガイドの内部に収容される。
【００１４】
調節ねじの頭部としては、例えば、湾曲状、円筒状または円錐状とすることができ、ねじ用ドライバー又は六角レンチ（Allen wrench）用の異なるねじ込みシステムと組み合わせることができる。
【００１５】
調節ねじの頭部が空洞から抜け出すことを避けるため、オリフィスの直径よりも大きい直径を有し、かつ、カバーの内面に接触するようにブッシュを設ける。このブッシュは、調節ねじによって横方向に移動し、固定手段、例えば、ゴム製ボルト、固定鋲、又はねじ、によって調節ねじに固定される。
【００１６】
可動ストップは、ガイドの内部に位置し、同様に調節ねじによって横方向に移動する。可動ストップの位置は、調節ねじを一方向にねじ込んだり又は他方向にねじを緩ませることによってストップに沿って変動し、カバーから離れたり又は近づいたりする。このため、可動ストップは、軸方向に横に延びるねじ付きオリフィスを有する。
【００１７】
調節ねじは、その端に突起を有し、これは、可動ストップがカバーから離れすぎるように移動したときに可動ストップが調節ねじから抜け出てしまうことを避ける。
【００１８】
可動ストップは、カバーに近い側に調節ねじの頭部の近くに位置するブッシュを収容することができるハウジングを有する。可動ストップがカバーの内面に接触状態にあるときに調節ねじを強く締めすぎた場合に、ブッシュはその変形を避けるという第２の機能を発揮する。
【００１９】
可動ストップは、カバーから遠い方の側に、ゴム片を有し、これは、固定ストップに対して発生するぶつかりから可動ストップを保護し、そのようなぶつかりが発生するノイズをなくす。
【発明の効果】
【００２０】
前記固定ストップの存在によって、包囲部の間におけるスライドリーフの進入を遅くする。これは本機構が適正に機能するために必要である。
【００２１】
本発明は、固定ストップとしてスライドドアの床に固定されたガイドの一つを用いて、本調整機構の構成要素の数を最大限に減らしそのアセンブリを単純化する。しかし、適切な条件で固定された他のいずれの独立の要素をもそのような機能を行うことができる。
【００２２】
本システムを調整する方法は、可動ストップが調節ねじに沿って移動するように調節ねじをねじ込んだり緩めるように回して、スライドリーフに固定されたカバーから離れたり近くになるように移動させるだけである。この調整の結果は、可動ストップが固定ストップにぶつかるまでスライドリーフを移動することによって検査することができる。
【００２３】
可動ストップがスライドリーフのカバーの内面と接触状態にあるとき、包囲部と最大重複状態にある。従って、ドアの全開状態での通過できる面積が最大となる。
【００２４】
可動ストップが調節ねじの端にあってその突起によって遅くされたとき、包囲部と最小重複状態にある。従って、ドアが完全に開いた状態での通路の面積が最小となる。
【発明を実施するための最良の形態】
【００２５】
図１には、本発明の調整機構の主要な構成要素、即ち、カバー１、可動ストップ２及び調節ねじ３の斜視図を示す。
【００２６】
この図において、カバー１が、複数のねじによって構成する接続手段５によってスライドリーフ４の端に固定されており、調節ねじ３の頭部７がカバー１の空洞８に収容されている。
【００２７】
図２は、スライドリーフ４の側面断面図を示してあり、スライドリーフ４のガイド６の内部の調整機構の異なる構成要素の位置を示してある。
【００２８】
図示したように、カバー１は、調節ねじ３の頭部７を収容する空洞８、及び前記ねじ３の他方の端が進入するオリフィス（開口部）９を有する。スライドリーフ４の下部分に備わったガイド６の内部には、調節ねじ３の端が収容される。
【００２９】
調節ねじ３の頭部７は、空洞８から抜け出ることを避けるため、カバー１の内面に接触し、かつ、オリフィス９の直径よりも大きな直径を有するブッシュ１０を備える。前記ブッシュ１０は、調節ねじ３によって横方向に移動し、かつゴム製のボルトによって構成する固定手段１１によって、調節ねじ３に固定されている。
【００３０】
可動ストップ２は、ガイド６の内側に位置し、これも調節ねじ３によって横方向に移動する。可動ストップ２の位置は、調節ねじ３をストップに沿った一方向にねじ込みをしたり、または、逆方向にねじを緩めることによって変動し、これによってカバー位置から離れたりまたは近くなったりする。このため、可動ストップ２には、軸方向に横に延びるねじ付きオリフィス１２を有する。
【００３１】
調節ねじ３は、その端に突起１３を有し、これにより、可動ストップ２がカバー１から離れすぎるように移動したときに可動ストップ２が抜け出ることを避ける。
【００３２】
可動ストップ２は、カバー１に近い方の側に、ブッシュ１０を収容することができるハウジング１４と、及びカバーから離れた側に、固定ストップ１６に対して発生するぶつかりやノイズを避けることができるゴム片１５を有する。
【００３３】
図３は、スライドリーフ４のガイド６の内部の固定ストップ１６の位置を示す図２のＩ−Ｉ部の平面の断面図である。
【００３４】
図４は、包囲部１７と最大重複位置にあるスライドドアの断面図である。この位置において、可動ストップ２は、カバー１の内面と接触状態にある。ブッシュ１０は、この位置において調節ねじ３が更にねじ込まれた場合に発生し得るカバー１の変形を防ぐ。また、この図は、包囲部１７の間のスライドリーフ４の進入を固定ストップ１６がいかに遅くするかも示してある。可動ストップ２のゴム片１５が前記固定ストップ１６といかに接触するかも示してある。
【００３５】
図５は、包囲部１７と最小重複位置にあるスライドドアの上面断面図である。この位置において、可動ストップ２はカバー１から可能な限り離れるように移動しており、調節ねじ３の突起１３によって遅くされている。また、この図は、上記と同様に、包囲部１７の間におけるスライドリーフ４の進入をいかに固定ストップ１６が遅くしているかも示している。
【００３６】
図６は、スライドリーフ４に対するカバーの位置を示したスライドドアの外形の図である。
【００３７】
上記の図面は、本発明の理解を助ける一実施例に関するものであり、本発明を何ら限定するものではない。
【図面の簡単な説明】
【００３８】
【図１】カバー、可動ストップ及び調節ねじの斜視図。
【図２】スライドリーフのガイドの内部の調整機構の構成要素の位置を示すスライドリーフの側面断面図。
【図３】図２のＩ−Ｉ部分の平面の断面図。
【図４】最大重複位置におけるスライドドアの断面図。
【図５】最小重複位置におけるスライドドアの断面図。
【図６】スライドドア及び包囲部の外形図。
【符号の説明】
【００３９】
１  カバー
２  可動ストップ
３  調節ねじ
４  スライドリーフ
５  接続手段
６  ガイド
７  頭部
８  空洞
９  オリフィス
１０  ブッシュ
１１  固定手段
１２  ねじ付きオリフィス
１３  突起
１４  ハウジング
１５  ゴム片
１６  固定ストップ
１７  包囲部
【図１】
0005388023.tif 000002
【図２】
0005388023.tif 000003
【図３】
0005388023.tif 000004
【図４】
0005388023.tif 000005
【図５】
0005388023.tif 000006
【図６】
0005388023.tif 000007